(57)【要約】【課題】コンテンツから抽出したプロモーションシーンで構成されるプロモーションは、一般的にそのコンテンツを未だ全く視聴していない状況を想定して作成されている。従って、視聴を中断したコンテンツに対し、プレビューとしてプロモーションを用いた場合、視聴済みのシーンが多く含まれるため、未視聴部分の視聴意欲を促進させることができないという課題があった。【解決手段】映像コンテンツから抽出した複数のシーンを配列したプレビューを再生するプレビュー再生装置であって、前記映像コンテンツの再生が中断された視聴中断位置を取得する再生制御部３と、前記視聴中断位置に基づいて、前記プレビューを再構築するプロモーションリスト再構築部７とを備える。【選択図】図１
2007274594.tif 000002
【特許請求の範囲】
【請求項１】
コンテンツから抽出した複数のシーンを配列したプレビューを再生するプレビュー再生装置であって、
前記コンテンツの再生が中断された視聴中断位置を取得する再生制御手段と、
前記視聴中断位置に基づいて、前記プレビュー映像を再構築する再構築手段と、
を備えるプレビュー再生装置。
【請求項２】
前記再構築手段は、前記コンテンツから抽出した複数のプロモーションシーンから、前記視聴中断位置以降の再生範囲を含むプロモーションシーンのみを選択し、各プロモーションシーンに予め設定された再生順序に並び替えることによりプロモーションシーンリストを再構築し、
前記再生制御手段は、前記プロモーションシーンリストに基づいてプレビューを再生させる請求項１記載のプレビュー再生装置。
【請求項３】
前記再構築手段は、プロモーションシーンに関連する関連元シーンの再生範囲が前記視聴中断位置以前にある場合は、当該プロモーションシーンを前記プロモーションシーンリストに追加し、前記関連元シーンの再生範囲が前記視聴中断位置以降にある場合は、当該プロモーションシーンを前記プロモーションシーンリストに追加しない請求項２記載のプレビュー再生装置。
【請求項４】
前記視聴中断位置までのコンテンツから抽出したダイジェストシーンを配列してダイジェストシーンリストを生成するダイジェストシーンリスト生成手段と、
生成したダイジェストシーンリストと、前記再構築されたプロモーションシーンリストと、を結合したプレイリストを生成するプレイリスト生成手段と、
を備える請求項２記載のプレビュー再生装置。
【請求項５】
前記プレイリスト生成手段は、前記ダイジェストシーンリストの最後尾のダイジェストシーンと、前記プロモーションシーンリストの先頭のプロモーションシーンの再生範囲が重複する場合、重複部分を削除してから前記結合を行う請求項４記載のプレビュー再生装置。
【請求項６】
前記プレイリストは、プロモーションシーンであるか又はダイジェストシーンであるかを区別するためのシーン種別情報を有するものであり、
前記再生制御手段は、シーン毎に前記シーン種別情報を提示させるようプレビューを再生させる請求項４記載のプレビュー再生装置。
【発明の詳細な説明】
【技術分野】
【０００１】
本発明は、映像コンテンツ（以下、コンテンツと称する）から抽出した複数のシーンを配列し、コンテンツ全体を説明する動画であるプレビュー映像（以下、プレビューと称する）を再生するプレビュー再生装置に関する。
【背景技術】
【０００２】
コンテンツの視聴を促進するための手段として、コンテンツ一覧画面にコンテンツのプレビューを表示する技術がある。しかし、プレビュー表示によってコンテンツの内容が効率良く把握され、それによりかえってコンテンツ視聴の興味を削ぐのは好ましくない。
【０００３】
そのため、例えば、ドラマにおけるストーリーの結末シーンやクイズ番組における問題の正解シーンなど、コンテンツの重要な箇所を提示してしまうようなシーン及びその関連シーンを除いた部分から、コンテンツの概要を説明するプロモーション映像（以下、プロモーションと称する）を作成する要約映像生成装置が提案されている（例えば、特許文献１参照）。
【特許文献１】特開２００５−２９３２１２号公報  第７頁〜第１９頁  図１
【発明の開示】
【発明が解決しようとする課題】
【０００４】
ところで、コンテンツから抽出したプロモーションシーンで構成されるプロモーションは、一般的にそのコンテンツを未だ全く視聴していない状況を想定して作成されている。従って、視聴を中断したコンテンツに対し、プレビューとしてプロモーションを用いた場合、視聴済みのシーンが多く含まれるため、未視聴部分の視聴意欲を促進させることができないという課題があった。
【０００５】
映像再生機器の大容量化により、大量のコンテンツが保存可能で、且つ場所や時間を問わずコンテンツを視聴できるようになると、視聴を中断したコンテンツが多数蓄積される状況が今後想定される。そのような状況において、視聴を中断したコンテンツに関するプレビューを生成して視聴を促進させるプレビュー機能はますます重要となる。
【０００６】
本発明は、上記従来の事情に鑑みてなされたものであって、視聴途中のコンテンツの未視聴部分の視聴意欲を促進させることができるプレビュー再生装置を提供することを目的とする。
【課題を解決するための手段】
【０００７】
本発明のプレビュー再生装置は、コンテンツから抽出した複数のシーンを配列したプレビューを再生するプレビュー再生装置であって、前記コンテンツの再生が中断された視聴中断位置を取得する再生制御手段と、前記視聴中断位置に基づいて、前記プレビューを再構築する再構築手段と、を備える。
【０００８】
上記構成によれば、視聴中断位置に応じたプレビューを再生できるため、コンテンツの未視聴部分の視聴意欲を促進させることができる。
【０００９】
また、本発明のプレビュー再生装置は、前記再構築手段が、前記コンテンツから抽出した複数のプロモーションシーンから、前記視聴中断位置以降の再生範囲を含むプロモーションシーンのみを選択し、各プロモーションシーンに予め設定された再生順序に並び替えることによりプロモーションシーンリストを再構築し、前記再生制御手段が、前記プロモーションシーンリストに基づいてプレビューを再生させるものである。
【００１０】
上記構成によればプロモーションをプレビューとして再生する際、視聴を中断したコンテンツの未視聴部分に含まれるプロモーションシーンが再生できるため、未視聴部分の内容を想起させて、コンテンツの未視聴部分の視聴意欲をさらに促進させることができる。
【００１１】
また、本発明のプレビュー再生装置は、前記再構築手段が、プロモーションシーンに関連する関連元シーンの再生範囲が前記視聴中断位置以前にある場合は、当該プロモーションシーンを前記プロモーションシーンリストに追加し、前記関連元シーンの再生範囲が前記視聴中断位置以降にある場合は、当該プロモーションシーンを前記プロモーションシーンリストに追加しないものである。
【００１２】
上記構成によれば、関連元シーンが視聴済みとなったプロモーションシーンがプロモーションシーンリストに追加されるため、コンテンツを未視聴時にはプロモーションとして用いることのできなかったコンテンツの重要なシーンであっても、プロモーションシーンとして用いることがでるため、コンテンツの未視聴部分の視聴意欲をさらに促進させることができる。
【００１３】
また、本発明のプレビュー再生装置は、前記視聴中断位置までのコンテンツから抽出したコンテンツの要約となるダイジェスト映像（以下、ダイジェストと称する）のダイジェストシーンを配列してダイジェストシーンリストを生成するダイジェストシーンリスト生成手段と、生成したダイジェストシーンリストと、前記再構築されたプロモーションシーンリストと、を結合したプレイリストを生成するプレイリスト生成手段と、を備える。
【００１４】
上記構成によれば、プロモーションの再生前にダイジェストが追加されたプレビューが再生され、視聴済み部分の内容を想起させた後に未視聴部分の内容を想像・推測させることができるため、視聴済み部分に関してはコンテンツの重要なシーンも見せることができ、映像コンテンツ全体のストーリーの流れにさらに興味を持たせ、未視聴部分の視聴意欲をさらに促進させることができる。
【００１５】
また、本発明のプレビュー再生装置は、前記プレイリスト生成手段が、前記ダイジェストシーンリストの最後尾のダイジェストシーンと、前記プロモーションシーンリストの先頭のプロモーションシーンの再生範囲が重複する場合、重複部分を削除してから前記結合を行うものである。
【００１６】
上記構成によれば、ダイジェストシーンとプロモーションシーンとの連続するシーンにおいて、重複部分がなくなるため、結合によって冗長なプレビューとなることを防止することができる。
【００１７】
さらに、本発明のプレビュー再生装置は、前記プレイリストが、プロモーションシーンであるか又はダイジェストシーンであるかを区別するためのシーン種別情報を有するものであり、前記再生制御手段が、シーン毎に前記シーン種別情報を提示させるようプレビューを再生させるものである。
【００１８】
上記構成によれば、視聴者に、再生中のシーンのどこまでがプロモーションシーンであるかダイジェストシーンであるかを把握させることができる。
【発明の効果】
【００１９】
本発明によれば、視聴中断位置に応じたプレビューを再生できるため、映像再生装置に多数蓄積されている、途中まで視聴してそのままになっている映像コンテンツに対しても、ユーザの視聴状態に応じて、未視聴部分の内容を的確に想像・推測させることができ、未視聴部分の視聴意欲を促進させることができる。
【発明を実施するための最良の形態】
【００２０】
以下、本発明の実施形態におけるプレビュー再生装置について図面を用いて説明する。
【００２１】
［実施の形態１］
はじめに、本発明の実施の形態１におけるプレビュー再生装置について説明する。図１は、本発明の実施の形態１におけるプレビュー再生装置の構成を示す図である。プレビュー再生装置１０は、再生指示入力部１、視聴中断位置保持部２、再生制御部３、コンテンツ再生部４、ＴＶ／ディスプレイ５、プロモーションシーンメタデータ保持部６、プロモーションシーンリスト再構築部７、で構成される。なお、本構成の他に、コンテンツ一覧画面を生成するためのメニュー生成部や、ＴＶ/ディスプレイの映像表示位置を制御する映像表示位置制御部などが必要であるが、本発明の主眼ではないので省略する。
【００２２】
再生指示入力部１は、ユーザのボタン操作や、アプリケーションの画面表示の指示に基づいて、コンテンツの選択、再生指示の入力を行う。また、コンテンツの再生指示要求を再生制御部３に通知する。
【００２３】
視聴中断位置保持部２は、視聴中断位置に係る情報を保持する。
【００２４】
再生制御部３は、コンテンツ再生部４におけるコンテンツの再生を制御する。また、再生制御部３は、コンテンツの再生停止時には、視聴中断位置に係る情報を取得し、視聴中断位置保持部２に保持させる。そして、再生制御部３は、再生再開時に視聴中断位置からの途中再生をコンテンツ再生部４に指示する。尚、コンテンツ再生部４への再生の指示は、各シーンの再生開始位置、再生長および再生順番値が順に記述されたプロモーションシーンリストや後述するプレイリストに基づいて行われる。
【００２５】
コンテンツ再生部４は、指定されたコンテンツの再生を行う。再生開始位置と再生長が指定されると、コンテンツ再生部４は、コンテンツ中の指定された範囲の再生を行う。
【００２６】
ＴＶ／ディスプレイ５は、コンテンツ再生部４で再生される動画像を出力する表示装置としての機能を担う。
【００２７】
プロモーションシーンメタデータ保持部６は、プロモーションのシーン毎に、再生開始位置と再生長とシーンの再生順番値に係る情報で構成されるプロモーションシーンメタデータを保持する。
【００２８】
プロモーションシーンリスト再構築部７は、指定された視聴中断位置に対し、プロモーションシーンメタデータ保持部６から視聴中断位置以降のプロモーションシーンメタデータを選択し、再生順番値にしたがって並び替えて、視聴中断位置以降のコンテンツに対応するようにプロモーションシーンリストを再構築する。
【００２９】
次に、上記構成のプレビュー再生装置の動作について説明する。
【００３０】
図２は、本発明の実施の形態１におけるプレビュー再生装置のプロモーション再構成動作手順を示すフローチャートである。はじめに、プロモーションシーンリスト再構築部７は、再生制御部３からコンテンツの視聴中断位置を入力として取得すると、プロモーションシーンリストの再構築を開始する（ステップＳ１０１）。図３は、視聴中断位置保持部２に保持される視聴中断位置情報のデータ構造を概念的に示す模式図である。
【００３１】
次に、プロモーションシーンリスト再構築部７は、プロモーションシーンメタデータ保持部６から、再生順番値が一番小さいプロモーションシーンメタデータを取得する（ステップＳ１０２）。図４は、プロモーションシーンメタデータのデータ構造を概念的に示す模式図である。図の例では、再生順番値が一番小さいプロモーションシーンメタデータは「シーンＣ」である。
【００３２】
次に、プロモーションシーンリスト再構築部７は、取得したプロモーションシーンメタデータがコンテンツの「視聴中断位置」以降の再生範囲を含むものであるか否かを判断する（ステップＳ１０３）。このときの判断は、プロモーションシーンメタデータの「再生開始位置」＋「再生長」で表される時刻＞視聴中断位置の時刻であるか否かで行われる。
【００３３】
図５は、プロモーションシーンメタデータが視聴中断位置以降の再生範囲を含むか否かの判定の概要を説明するための図である。図に示すように、シーンの終了時刻が視聴中断位置より少しでも後方にあれば、そのプロモーションシーンは視聴中断位置以降のプロモーションシーンであると判定される。従って、「シーンＣ」の場合は００：２９：５５＋１５秒＝００：３０：１０＞００：３０：００（視聴中断時刻）であるため、視聴中断位置以降の再生範囲を含むメタデータであると判定される。
【００３４】
プロモーションシーンメタデータが視聴中断位置以降の再生範囲を含む場合（ステップＳ１０３のＹＥＳ）、プロモーションシーンリスト再構築部７は、プロモーションシーンメタデータの再生開始位置と再生長を、プロモーションシーンリストの最後尾に追加する（ステップＳ１０４）。
【００３５】
次に、プロモーションシーンリスト再構築部７は、プロモーションシーンメタデータ保持部６から再生順番値の値が一番大きいプロモーションシーンメタデータを取得したか否か（即ち、最後のプロモーションシーンメタデータまで取得したか否か）を判断する（ステップＳ１０５）。
【００３６】
最後のメタデータでない場合（ステップＳ１０５のＮＯ）、プロモーションシーンリスト再構築部７は、前回取得したプロモーションシーンメタデータの次の再生順番値を持つプロモーションシーンメタデータをプロモーションシーンメタデータ保持部６から取得し（ステップＳ１０６）、上記のステップＳ１０３以降の手順を繰り返す。
【００３７】
一方、最後のメタデータである場合（ステップＳ１０５のＹＥＳ）、プロモーションシーンリスト再構築部７は、再構築したプロモーションシーンリストを再生制御部３へ返す（ステップＳ１０７）。図６は、再構築されたプロモーションシーンリストのデータ構造を概念的に示す模式図である。
【００３８】
図７は、上記のプロモーション再構成動作手順によってプロモーションシーンリストが再構築される概要を説明するための図である。
【００３９】
以上のように、視聴途中のコンテンツに対して、視聴の中断位置に応じたプレビューを生成することにより、視聴を中断したコンテンツの未視聴部分に含まれるプロモーションシーンのみがプレビュー再生させるので、未視聴部分の内容を想起させることができ、未視聴部分の視聴意欲を促進させることができる。
【００４０】
一般的に、プロモーションシーンはそれぞれがコンテンツの時系列に従って配列されているわけではない。このため従来は、コンテンツの視聴が進むのにあわせて、プロモーションから不要なプロモーションシーンを適切に削除することが容易ではなかった。これに対し、本実施の形態のコンテンツ再生装置によれば、視聴中断位置を用いてプロモーションシーンリストを再構築することにより、視聴を中断したコンテンツの未視聴部分に含まれるプロモーションシーンが再生できるため、未視聴部分の内容を想起させて、コンテンツの未視聴部分の視聴意欲をさらに促進させることができる。
【００４１】
［実施の形態２］
次に、本発明の実施の形態２におけるプレビュー再生装置について説明する。実施の形態２のプレビュー再生装置は、実施の形態１のプレビュー再生装置と比較して構成上の差異はないが、プロモーションシーンメタデータ保持部２に保持するメタデータのデータ構造が異なる。具体的には、プロモーションシーンメタデータに、プロモーションシーンに関連する関連元シーンの再生位置及び再生長に関する情報が付加されており、関連元シーンが既に視聴済みである場合、当該プロモーションシーンをプロモーションシーンとして選択し、一方、関連元シーンが未視聴である場合、当該プロモーションシーンをプロモーションシーンリストから削除する。その他の構成は実施の形態１と同じであるため、詳細な説明を省略する。
【００４２】
次に、上記構成のプレビュー再生装置の動作について説明する。
【００４３】
図８は、本発明の実施の形態２におけるプレビュー再生装置のプロモーション再構成動作手順を示すフローチャートである。はじめに、プロモーションシーンリスト再構築部７は、再生制御部３からコンテンツの視聴中断位置を入力として取得すると、プロモーションシーンリストの再構築を開始する（ステップＳ２０１）。
【００４４】
次に、プロモーションシーンリスト再構築部７は、プロモーションシーンメタデータ保持部６から、関連元再生範囲が視聴中断位置以前のプロモーションシーンメタデータの中で、再生順番値が一番小さいプロモーションシーンメタデータを取得する（ステップＳ２０２）。このときの判断は、プロモーションシーンメタデータの「関連元再生開始位置」＋「再生長」で表される時刻＜＝視聴中断位置の時刻であるか否かで行われる。
【００４５】
図９は、プロモーションシーンメタデータのデータ構造を概念的に示す模式図である。プロモーションシーン毎に再生開始位置、再生長、シーンの再生順番値の情報に加え、そのシーンを視聴するために必要であると定義された関連元のシーンの関連元再生開始位置と関連元再生長に係る情報が記述されている。尚、関連元のシーンが必要ないプロモーションシーンは、関連元再生開始位置と関連元再生長を保持する必要はない。
【００４６】
図１０は、プロモーションシーンメタデータに含まれる関連元シーンが、視聴中断位置以前の再生範囲を含むか否かの判定を説明するための図である。図に示すように、関連元シーンの終了時刻が視聴中断位置より前方にあれば、その関連元シーンに係るプロモーションシーンはプロモーションシーンリストに追加される。一方、関連元シーンの終了時刻が視聴中断位置より後方にある場合、その関連元シーンに係るプロモーションシーンはプロモーションシーンリストから選択されない。
【００４７】
次に、プロモーションシーンリスト再構築部７は、取得したプロモーションシーンメタデータがコンテンツの「視聴中断位置」以降の再生範囲を含むものであるか否かを判断する（ステップＳ２０３）。このときの判断は、プロモーションシーンメタデータの「再生開始位置」＋「再生長」で表される時刻＞視聴中断位置の時刻であるか否かで行われる。
【００４８】
プロモーションシーンメタデータが視聴中断位置以降の再生範囲を含む場合（ステップＳ１０３のＹＥＳ）、プロモーションシーンリスト再構築部７は、プロモーションシーンメタデータの再生開始位置と再生長を、プロモーションシーンリストの最後尾に追加する（ステップＳ２０４）。
【００４９】
次に、プロモーションシーンリスト再構築部７は、プロモーションシーンメタデータ保持部６から関連元シーンの再生範囲が視聴中断位置以前のプロモーションシーンメタデータのうち、再生順番値の値が一番大きいプロモーションシーンメタデータを取得したか否か（即ち、関連元シーンが視聴済みの最後のプロモーションシーンメタデータまで取得したか否か）を判断する（ステップＳ２０５）。
【００５０】
最後のメタデータでない場合（ステップＳ２０５のＮＯ）、プロモーションシーンリスト再構築部７は、関連元シーンの再生範囲が視聴中断位置以前のプロモーションシーンメタデータの中で、前回取得したプロモーションシーンメタデータの次の再生順番値を持つプロモーションシーンメタデータをプロモーションシーンメタデータ保持部６から取得し（ステップＳ２０６）、上記のステップＳ２０３以降の手順を繰り返す。
【００５１】
一方、最後のメタデータである場合（ステップＳ１０５のＹＥＳ）、プロモーションシーンリスト再構築部７は、再構築したプロモーションシーンリストを再生制御部３へ返す（ステップＳ２０７）。
【００５２】
図１１から図１３は、図９で示したプロモーションシーンメタデータに関して、視聴中断位置によって選択されるプロモーションシーンが異なる例を示す図である。例えば、視聴中断時刻が００：１５：００である場合（図１１参照）、未視聴である「シーンＡ」と「シーンＢ」がプロモーションシーンリストとして選択される。但し、関連元シーンが未視聴である「シーンＤ」、「シーンＥ」は選択されていない。
【００５３】
一方、視聴中断時刻が００：２５：００になると（図１２参照）、未視聴である「シーンＣ」と「シーンＤ」がプロモーションシーンリストとして選択される。このとき、「シーンＤ］は関連元シーンが視聴済みとなったためプロモーションシーンとして選択されたが、「シーンＥ」は関連元シーンが未だ視聴済みでないためプロモーションシーンリストに選択されなかった。
【００５４】
更に、視聴中断時刻が００：３５：００になると（図１３参照）、未視聴である「シーンＤ」と「シーンＥ」がプロモーションシーンリストとして選択される。このとき、「シーンＤ］と「シーンＥ］は共に関連元シーンが視聴済みとなったためプロモーションシーンとして選択された。
【００５５】
図１４は、上記のプロモーション再構築動作手順によってプロモーションシーンリストが再構築される概要を説明するための図である。
【００５６】
以上のように、関連元シーンが視聴済みとなったプロモーションシーンがプロモーションシーンリストに追加されるため、コンテンツを未視聴時にはプロモーションとして用いることのできなかったコンテンツの重要なシーンであっても、プロモーションシーンとして用いることがでるため、コンテンツの未視聴部分の視聴意欲をさらに促進させることができる。
【００５７】
［実施の形態３］
次に、本発明の実施の形態３におけるプレビュー再生装置について説明する。図１５は、本発明の実施の形態３におけるプレビュー再生装置の構成を示す図である。実施の形態３のプレビュー再生装置は、実施の形態１のプレビュー再生装置と比較して、ダイジェストシーンリスト生成部８とプレイリスト合成部９が付加された点が異なる。その他の構成は実施の形態１と同じであるため、詳細な説明を省略する。
【００５８】
ダイジェストシーンリスト生成部８は、ダイジェストシーンのリストを生成する。ダイジェストの生成方法は公知の手法（特許第3472659号明細書に記載の手法など）を用いてよく、指定した視聴中断位置までのダイジェストを生成する。
【００５９】
プレイリスト合成部９は、視聴中断位置以前のダイジェストシーンリストと視聴中断位置以降のプロモーションシーンリストとを取得して、両リストにおいて再生範囲が重なる部分に対して、後述する修正を加え、プレイリストとして合成する。
【００６０】
次に、上記構成のプレビュー再生装置の動作について説明する。
【００６１】
図１６は、本発明の実施の形態３におけるプレビュー再生装置のプレビュー再生動作手順を示すフローチャートである。はじめに、コンテンツの選択、再生方法の指示を再生指示入力部１で受け付ける（ステップＳ３０１）。次に、再生指示入力部１は、再生制御部３に「コンテンツ」と「再生方法」を指定する（ステップＳ３０２）。更に、再生制御部３は、コンテンツを指定してプレイリスト合成部９にプレイリスト生成要求を出力する（ステップＳ３０３）。
【００６２】
次に、プレイリスト合成部９は、視聴中断位置保持部２からコンテンツの「視聴中断位置」を取得し（ステップＳ３０４）、ダイジェストシーンリスト生成部８にコンテンツの「視聴中断位置」を指定して、コンテンツの再生先頭位置から視聴中断位置までのダイジェストシーンリストの生成要求を出力する（ステップＳ３０５）。
【００６３】
ダイジェストシーンリスト生成部８は、指定された「視聴中断位置」に基づいて、コンテンツの先頭位置から視聴中断位置までのダイジェストシーンリストを生成し、プレイリスト合成部９にダイジェストシーンリストを返す（ステップＳ３０６）。
【００６４】
次に、プレイリスト合成部９は、プロモーションシーンリスト再構築部７に、コンテンツの「視聴中断位置」を指定して、コンテンツの視聴中断位置から再生終了位置までのプロモーションシーンリストの生成要求を出力する（ステップＳ３０７）。
【００６５】
プロモーションシーンリスト再構築部７は、指定された「視聴中断位置」に基づいて、プロモーションシーンメタデータ保持部６からプロモーションシーンメタデータの再生順番値にしたがってコンテンツのプロモーションシーンメタデータを取得する（ステップＳ３０８）。
【００６６】
更に、プロモーションシーンリスト再構築部７が取得したプロモーションシーンメタデータの中で、コンテンツの「視聴中断位置」以降の再生範囲を含むプロモーションシーンメタデータを選択し、プロモーションの再生順序の順で「プロモーションシーンリスト」を再構築し、プレイリスト合成部９にプロモーションシーンリストを返す（ステップＳ３０９）。この手順は、実施の形態１のプレビュー再生装置におけるプロモーション再構築動作と同じである。
【００６７】
ダイジェストシーンリスト生成部８からダイジェストシーンリストを、プロモーションシーンリスト再構築部７からプロモーションシーンリストを取得したプレイリスト合成部９は、ダイジェストシーンリストとプロモーションシーンリストを後述する結合処理に従って結合し、プレイリストを生成して再生制御部３へ返す（ステップＳ３１０）。
【００６８】
ここで、ダイジェストシーンリストとプロモーションシーンリストの結合処理について説明する。図１７は、ダイジェストシーンリストとプロモーションシーンリストの結合処理手順を示すフローチャートである。これは、プロモーションシーンリストの先頭のプロモーションシーンとダイジェストシーンリストの最後尾のダイジェストシーンの再生範囲に重複がある場合、それを解消する処理である。
【００６９】
はじめに、プレイリスト合成部９は、ダイジェストシーンリスト生成部８からダイジェストシーンリストを、プロモーションシーンリスト再構築部７からプロモーションシーンリストを取得する（ステップＳ４０１）。図１８は、取得したダイジェストシーンリストのデータ構造を概念的に示す模式図である。一方、図１９は、取得したプロモーションシーンリストのデータ構造を概念的に示す模式図である。
【００７０】
次に、プレイリスト合成部９は、ダイジェストシーンリストの最後尾のダイジェストシーンと、プロモーションシーンリストの先頭のプロモーションシーンの再生範囲が重複するか否かを判断する（ステップＳ４０２）。このときの判断は、最後尾のダイジェストシーンの「再生開始位置」＋「再生長」で表される時刻＞＝先頭のプロモーションシーンの「再生開始位置」の時刻であるか否かで行う。
【００７１】
図２０は、ダイジェストシーンリストの最後尾のダイジェストシーンとプロモーションシーンリストの先頭のプロモーションシーンの再生範囲の重複状況を説明するための図である。図に示すように、図１８に示したダイジェストシーンリストの最後尾のダイジェストシーンと、図１９に示したプロモーションシーンリストの先頭のプロモーションシーンは、再生範囲に重複する部分があることが判る。
【００７２】
ステップＳ４０２の判断において重複する場合、プレイリスト合成部９は、ダイジェストシーンリストの最後尾のダイジェストシーンの「再生長」の時間に、「視聴中断位置」の時刻から最後尾のダイジェストシーンの「再生開始位置」の時刻を引いた値を代入してダイジェストシーンの修正を行う（ステップＳ４０３）。図２１は、ダイジェストシーンに関する重複部分の修正処理の概要を説明するための図である。これによりプロモーションシーンと重複しないようにダイジェストシーンの長さが修正される。
【００７３】
また、同様に、プレイリスト合成部９は、プロモーションシーンリストの先頭のプロモーションシーンの「再生長」の時間に、先頭のプロモーションシーンの「視聴中断位置」と「再生開始位置」の差分時間を元の「再生長」の時間から差し引いた値を代入する。更に、先頭のプロモーションシーンの「再生開始位置」に、「視聴中断位置」の時刻を代入してプロモーションシーンの修正を行う（ステップＳ４０４）。図２２は、プロモーションシーンに関する重複部分の修正処理の概要を説明するための図である。これによりダイジェストシーンと重複しないようにプロモーションシーンの長さが修正される。
【００７４】
次に、プレイリスト合成部９は、修正後のダイジェストシーンリストの後ろに修正後のプロモーションシーンリストを結合してプレイリストを生成する（ステップＳ４０５）。図２３は、生成されたプレイリストのデータ構造を概念的に示す図である。ダイジェストシーンとプロモーションシーンの再生範囲が重複することなくプレビューを再生することができるようにプレイリストが生成されている。最後に、プレイリスト合成部９が生成したプレイリストを再生制御部３へ返し（ステップＳ４０６）、結合処理が完了する。
【００７５】
次に、図１６のフローチャートに戻り、再生制御部３は、プレイリスト生成部９からプレイリストを取得し、プレイリストを指定してコンテンツ再生部４にコンテンツの再生命令を出力する（ステップＳ３１１）。そして、コンテンツ再生部４は、コンテンツの再生命令とプレイリストを再生制御部３から取得して、プレイリストで指定されたコンテンツの再生範囲を順次再生する（ステップＳ３１２）。
【００７６】
プレイリストの最後まで再生が完了するか、再生制御部３から停止命令を受け取るかした場合、コンテンツ再生部４はコンテンツの再生を中止し、停止完了通知を再生制御部３へ返してプレビュー再生が終了する（ステップＳ３１３）。
【００７７】
図２４は、上記のプレビュー再生動作手順によって、ダイジェストシーンとプロモーションシーンとが結合されたプレビューが再生される概要を説明するための図である。ダイジェストシーンとプロモーションシーンの結合部は、視聴の中断位置に応じて決定される。
【００７８】
以上のように、プロモーションの再生前にダイジェストが追加されたプレビューが再生され、視聴済み部分の内容を想起させた後に未視聴部分の内容を想像・推測させることができるため、視聴済み部分に関してはコンテンツの重要なシーンも見せることができ、映像コンテンツ全体のストーリーの流れにさらに興味を持たせ、未視聴部分の視聴意欲をさらに促進させることができる。
【００７９】
さらに、本実施の形態のコンテンツ再生装置によれば、ダイジェストシーンとプロモーションシーンとの連続するシーンにおいて、重複部分がなくなるため、結合によって冗長なプレビューとなることを防止することができる。
【００８０】
［実施の形態４］
次に、本発明の実施の形態４におけるプレビュー再生装置について説明する。実施の形態４のプレビュー再生装置は、実施の形態３のプレビュー再生装置と比較して構成上の差異はないが、プレイリスト合成部９で生成されるプレイリストのデータ構造が異なる。具体的には、ダイジェストシーンリストとプロモーションシーンリストを結合する際、新に「シーン種」の項目を付加し、ダイジェストシーンリストの各シーンには「ダイジェスト」の値を、プロモーションシーンリストの各シーンには「プロモーション」の値が追加される。図２５は、「シーン種」の項目追加の概要を説明するための図である。
【００８１】
次に、上記構成のプレビュー再生装置の動作について説明する。
【００８２】
本発明の実施の形態４におけるプレビュー再生装置のプレビュー再生動作手順は、実施の形態３のそれと同じであるが（図１６のフローチャート参照）、前述の通り、プレイリストに「シーン種」の項目が追加されている。これにより、再生制御部３の指示によってコンテンツ再生部４が指定されたコンテンツの再生範囲を順次再生する際、再生されているプレイシーンのシーン種別を画面上の任意位置に表示できる。図２６は、プレビュー再生中におけるシーン種別の画面表示例を示す模式図である。
【００８３】
以上のように、プロモーションシーンとダイジェストシーンを結合したプレビューにおいて、再生中のシーンのどこまでがプロモーションシーンであるかダイジェストシーンであるかを容易に把握できる。
【産業上の利用可能性】
【００８４】
本発明は、視聴中断位置に応じたプレビューを再生できるため、映像再生装置に多数蓄積されている、途中まで視聴してそのままになっている映像コンテンツに対しても、ユーザの視聴状態に応じて未視聴部分の内容を的確に想像・推測させることができ、未視聴部分の視聴意欲を促進させることができる効果を有し、映像コンテンツから抽出した複数のシーンを配列したプレビューを再生するプレビュー再生装置等に有用である。
【図面の簡単な説明】
【００８５】
【図１】本発明の実施の形態１におけるプレビュー再生装置の構成を示す図
【図２】本発明の実施の形態１におけるプレビュー再生装置のプロモーション再構成動作手順を示すフローチャート
【図３】視聴中断位置データのデータ構造を概念的に示す模式図
【図４】プロモーションシーンメタデータのデータ構造を概念的に示す模式図
【図５】プロモーションシーンメタデータが視聴中断位置以降の再生範囲を含むか否かの判定の概要を説明するための図
【図６】再構築されたプロモーションシーンリストのデータ構造を概念的に示す模式図
【図７】プロモーション再構築動作手順によってプロモーションシーンリストが再構築される概要を説明するための図
【図８】本発明の実施の形態２におけるプレビュー再生装置のプロモーション再構成動作手順を示すフローチャート
【図９】プロモーションシーンメタデータのデータ構造を概念的に示す模式図
【図１０】プロモーションシーンメタデータに含まれる関連元シーンが、視聴中断位置以前の再生範囲を含むか否かの判定を説明するための図
【図１１】視聴中断位置によって選択されるプロモーションシーンが異なる例を示す図（視聴中断時刻が００：１５：００）
【図１２】視聴中断位置によって選択されるプロモーションシーンが異なる例を示す図（視聴中断時刻が００：２５：００）
【図１３】視聴中断位置によって選択されるプロモーションシーンが異なる例を示す図（視聴中断時刻が００：３５：００）
【図１４】プロモーション再構築動作手順によってプロモーションシーンリストが再構築される概要を説明するための図
【図１５】本発明の実施の形態３におけるプレビュー再生装置の構成を示す図
【図１６】本発明の実施の形態３におけるプレビュー再生装置のプレビュー再生動作手順を示すフローチャート
【図１７】ダイジェストシーンリストとプロモーションシーンリストの結合処理手順を示すフローチャート
【図１８】取得したダイジェストシーンリストのデータ構造を概念的に示す模式図
【図１９】取得したプロモーションシーンリストのデータ構造を概念的に示す模式図
【図２０】ダイジェストシーンリストの最後尾のダイジェストシーンとプロモーションシーンリストの先頭のプロモーションシーンの再生範囲の重複状況を説明するための図
【図２１】ダイジェストシーンに関する重複部分の修正処理の概要を説明するための図
【図２２】プロモーションシーンに関する重複部分の修正処理の概要を説明するための図
【図２３】生成されたプレイリストのデータ構造を概念的に示す図
【図２４】プレビュー再生動作手順によって、ダイジェストシーンとプロモーションシーンとが結合されたプレビューが再生される概要を説明するための図
【図２５】「シーン種」の項目追加の概要を説明するための図
【図２６】プレビュー再生中におけるシーン種別の画面表示例を示す模式図
【符号の説明】
【００８６】
１  再生指示入力部
２  視聴中断位置保持部
３  再生制御部
４  コンテンツ再生部
５  ＴＶ／ディスプレイ
６  プロモーションシーンメタデータ保持部
７  プロモーションシーンリスト再構築部
８  ダイジェストシーンリスト生成部
９  プレイリスト合成部
１０  プレビュー再生装置
【図１】
2007274594.tif 000003
【図２】
2007274594.tif 000004
【図３】
2007274594.tif 000005
【図４】
2007274594.tif 000006
【図５】
2007274594.tif 000007
【図６】
2007274594.tif 000008
【図７】
2007274594.tif 000009
【図８】
2007274594.tif 000010
【図９】
2007274594.tif 000011
【図１０】
2007274594.tif 000012
【図１１】
2007274594.tif 000013
【図１２】
2007274594.tif 000014
【図１３】
2007274594.tif 000015
【図１４】
2007274594.tif 000016
【図１５】
2007274594.tif 000017
【図１６】
2007274594.tif 000018
【図１７】
2007274594.tif 000019
【図１８】
2007274594.tif 000020
【図１９】
2007274594.tif 000021
【図２０】
2007274594.tif 000022
【図２１】
2007274594.tif 000023
【図２２】
2007274594.tif 000024
【図２３】
2007274594.tif 000025
【図２４】
2007274594.tif 000026
【図２５】
2007274594.tif 000027
【図２６】
2007274594.tif 000028